(57)【特許請求の範囲】
【請求項１】
上面に取出口を有し、内側に家庭用薄葉紙を収納するケース体と、
前記取出口を開閉するように前記ケース体の上面に対し、基端部を中心に回転するように取り付けられた蓋体と、
前記家庭用薄葉紙を下面から支持するように配置されるとともに、一部が前記蓋体における前記取出口に対向する面に取り付けられ、その他の部分の一部が前記ケース体の前記取出口を挟んで対向する一対の内面であって、前記蓋体の前記基端部から遠い側の内面に取り付けられた紐状部材とを備え、
前記家庭用薄葉紙は、前記蓋体が開状態となると前記紐状部材が引き出され前記紐状部材の張力が高まることによって前記取出口側に向けて押し上げられ、前記蓋体が閉状態となると前記紐状部材の張力が低下することによって前記ケース体の底面まで降下することを特徴とする家庭用薄葉紙収納容器。
【請求項２】
請求項１記載の家庭用薄葉紙収納容器において、
前記一対の内面のうち、他の内面には、前記紐状部材が挿通される挿通部が前記紐状部材の前記その他の部分の一部の取付位置と略同じ高さに設けられていることを特徴とする家庭用薄葉紙収納容器。
【請求項３】
家庭用薄葉紙収納容器において、
上面に取出口を有し、内側に家庭用薄葉紙を収納するケース体と、
前記取出口を開閉するように前記ケース体の上面に対し、基端部を中心に回転するように取り付けられた蓋体と、
前記家庭用薄葉紙を下面から支持するように配置されるとともに、一部が前記蓋体における前記取出口に対向する面に取り付けられた紐状部材とを備え、
前記ケース体は、上面に前記家庭用薄葉紙を取り出すための取出口を有するとともに、下面に前記家庭用薄葉紙を詰め替えるための開口部を有する本体部と、前記開口部を開閉するため前記本体部の下面に着脱自在に取り付けられた底蓋とを備え、
前記紐状部材のその他の部分の一部が前記底蓋の前記基端部から遠い側の前側端部に取り付けられていることを特徴とする家庭用薄葉紙収納容器。
【請求項４】
家庭用薄葉紙収納容器において、
上面に取出口を有し、内側に家庭用薄葉紙を収納するケース体と、
前記取出口を開閉するように前記ケース体の上面に対し、基端部を中心に回転するように取り付けられた蓋体と、
前記家庭用薄葉紙を下面から支持するように配置されるとともに、一部が前記蓋体における前記取出口に対向する面に取り付けられた紐状部材とを備え、
前記ケース体は、上面に前記家庭用薄葉紙を取り出すための取出口を有するとともに、下面に前記家庭用薄葉紙を詰め替えるための開口部を有する本体部と、前記開口部を開閉するため前記本体部の下面に着脱自在に取り付けられた底蓋とを備え、
前記紐状部材のその他の部分の一部が前記底蓋の前記基端部から遠い側の前側端部から立設する立設部に取り付けられていることを特徴とする家庭用薄葉紙収納容器。
【請求項５】
請求項１〜４のいずれか一項に記載の家庭用薄葉紙収納容器において、
前記紐状部材には、前記家庭用薄葉紙を支持するための剛性部材が取り付けられていることを特徴とする家庭用薄葉紙収納容器。
【発明の詳細な説明】
【技術分野】
【０００１】
本発明は、家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。例えば、家庭用薄葉紙を収納するためのケース体の上面に、その開放端を上下方向に回動させることで開閉を行う蓋体を設けた家庭用薄葉紙収納容器が知られている（例えば、特許文献１，２参照）。この家庭用薄葉紙収納容器においては、積層された家庭用薄葉紙を取出口に向けて押し上げるための弾性体が設けられている。家庭用薄葉紙が少なくなっても、弾性体によって常に取出口近傍に家庭用薄葉紙が押し上げられていることになり、取り出しやすい状態が継続されることになる。
また、家庭用薄葉紙収納容器においては、家庭用薄葉紙を下方から支持する伸縮部を指等で変形させることで、残数に応じて家庭用薄葉紙を取出口に押し上げることができるものも知られている（例えば特許文献３参照）。
また、家庭用薄葉紙収納容器においては、家庭用薄葉紙を弾性紐によって支持することで、残数に応じて家庭用薄葉紙を取出口に押し上げることができるものも知られている（例えば特許文献４，５参照）。
【先行技術文献】
【特許文献】
【０００３】
【特許文献１】特開２００２−５３１５７号公報
【特許文献２】特開２０１１−１６５７５号公報
【特許文献３】特開２０１４−６５５１０号公報
【特許文献４】特開昭５９−１１５２４９号公報
【特許文献５】実開昭６３−１４１１９０号公報
【発明の概要】
【発明が解決しようとする課題】
【０００４】
ところで、家庭用薄葉紙を一枚取出口から取り出した後には、その動作に追従して以降の家庭用薄葉紙も取出口から引き出されて、一部が取出口から突出した状態となる。この突出量は一定ではないために、飛び出しすぎた場合には、手で取出口内部に入れ込む必要がある。しかし未使用の家庭用薄葉紙を触ってしまうのは衛生面で好ましくない。さらに、ケース体内の家庭用薄葉紙は弾性体や伸縮部によって取出口に向けて押し上げられているために、飛び出した部分を取出口内に入れ込むのも煩雑であった。
このため、本発明の課題は、ケース体内の家庭用薄葉紙を取出口側に向けて押し上げつつも、未使用の家庭用薄葉紙の取出口からの突出量を抑制することである。
【課題を解決するための手段】
【０００５】
請求項１記載の発明に係る家庭用薄葉紙収納容器は、
上面に取出口を有し、内側に家庭用薄葉紙を収納するケース体と、
前記取出口を開閉するように前記ケース体の上面に対し、基端部を中心に回転するように取り付けられた蓋体と、
前記家庭用薄葉紙を下面から支持するように配置されるとともに、一部が前記蓋体における前記取出口に対向する面に取り付けられ、その他の部分の一部が前記ケース体の前記取出口を挟んで対向する一対の内面であって、前記蓋体の前記基端部から遠い側の内面に取り付けられた紐状部材とを備え、
前記家庭用薄葉紙は、前記蓋体が開状態となると前記紐状部材が引き出され前記紐状部材の張力が高まることによって前記取出口側に向けて押し上げられ、前記蓋体が閉状態となると前記紐状部材の張力が低下することによって前記ケース体の底面まで降下することを特徴としている。
【０００６】
請求項２記載の発明は、請求項１記載の家庭用薄葉紙収納容器において、
前記一対の内面のうち、他の内面には、前記紐状部材が挿通される挿通部が前記紐状部材の前記その他の部分の一部の取付位置と略同じ高さに設けられていることを特徴としている。
【０００７】
請求項３記載の発明は、家庭用薄葉紙収納容器において、
上面に取出口を有し、内側に家庭用薄葉紙を収納するケース体と、
前記取出口を開閉するように前記ケース体の上面に対し、基端部を中心に回転するように取り付けられた蓋体と、
前記家庭用薄葉紙を下面から支持するように配置されるとともに、一部が前記蓋体における前記取出口に対向する面に取り付けられた紐状部材とを備え、
前記ケース体は、上面に前記家庭用薄葉紙を取り出すための取出口を有するとともに、下面に前記家庭用薄葉紙を詰め替えるために開口部を有する本体部と、前記開口部を開閉するため前記本体部の下面に着脱自在に取り付けられた底蓋とを備え、
前記紐状部材のその他の部分の一部が前記底蓋の前記基端部から遠い側の前側端部に取り付けられていることを特徴としている。
請求項４記載の発明は、家庭用薄葉紙収納容器において、
上面に取出口を有し、内側に家庭用薄葉紙を収納するケース体と、
前記取出口を開閉するように前記ケース体の上面に対し、基端部を中心に回転するように取り付けられた蓋体と、
前記家庭用薄葉紙を下面から支持するように配置されるとともに、一部が前記蓋体における前記取出口に対向する面に取り付けられた紐状部材とを備え、
前記ケース体は、上面に前記家庭用薄葉紙を取り出すための取出口を有するとともに、下面に前記家庭用薄葉紙を詰め替えるための開口部を有する本体部と、前記開口部を開閉するため前記本体部の下面に着脱自在に取り付けられた底蓋とを備え、
前記紐状部材のその他の部分の一部が前記底蓋の前記基端部から遠い側の前側端部から立設する立設部に取り付けられていることを特徴とする。
【０００８】
請求項５記載の発明は、請求項１〜４のいずれか一項に記載の家庭用薄葉紙収納容器において、
前記紐状部材には、前記家庭用薄葉紙を支持するための剛性部材が取り付けられていることを特徴とする。
【発明の効果】
【０００９】
請求項１記載の発明によれば、蓋体が開状態となると紐状部材が引き出され当該紐状部材の張力が高まることによって家庭用薄葉紙が取出口側に向けて押し上げられるので、家庭用薄葉紙の取り出しを容易に行うことができる。他方、蓋体が閉状態となると紐状部材の張力が低下することによって家庭用薄葉紙がケース体の底面まで降下するので、取出口から突出していた未使用の家庭用薄葉紙も下がることになる。これにより、未使用の家庭用薄葉紙の取出口からの突出量を抑制することができる。
【００１０】
請求項２記載の発明によれば、ケース体における取出口を挟んで対向する一対の内面であって、蓋体の基端部から遠い側の内面に紐状部材のその他の部分の一部が取り付けられるとともに、他の内面に紐状部材が挿通される挿通部が設けられており、なおかつ当該挿通部が紐状部材のその他の部分の一部の取付位置と略同じ高さに設けられている。このように取付位置と挿通部とが略同じ高さであると、紐状部材が引っ張られたとしても、取付位置と挿通部との間においては紐状部材がほぼ水平な状態を保つことになる。このため、家庭用薄葉紙が均等に押し上げられることになり、取出口周囲のケース体の内側上面と接する部分も多くなる。この接する部分が多くなればケース体にある家庭用薄葉紙も押さえられ、家庭用薄葉紙の突出量を抑えることができる。
【００１１】
請求項３記載の発明によれば、紐状部材の一部が底蓋に取り付けられているので、蓋体及び底蓋とが紐状部材４よって連結され、底蓋を本体部から取り外したとしても、蓋体と底蓋との一体性が確保されることになる。したがって、底蓋を紛失してしまうことを防止することができる。
【００１２】
請求項４記載の発明によれば、家庭用薄葉紙を支持するための剛性部材が紐状部材に取り付けられているので、紐状部材が家庭用薄葉紙に巻き付くことが防止され、家庭用薄葉紙を綺麗な状態で保つことができる。
【図面の簡単な説明】
【００１３】
【図１】本発明の実施形態に係る家庭用薄葉紙収納容器の概略構成を示す斜視図である。
【図２】本発明の実施形態に係る家庭用薄葉紙収納容器の概略構成を示す断面図であり、蓋体が閉じた状態を示している。
【図３】本発明の実施形態に係る家庭用薄葉紙収納容器の概略構成を示す断面図であり、蓋体が開いた状態を示している。
【図４】本発明の実施形態に係る家庭用薄葉紙収納容器に備わる蓋体と紐状部材の関係を示す正面図である。
【図５】家庭用薄葉紙収納容器の第一変形例を示す断面図であり、蓋体が閉じた状態を示している。
【図６】家庭用薄葉紙収納容器の第一変形例を示す断面図であり、蓋体が開いた状態を示している。
【図７】家庭用薄葉紙収納容器の第二変形例を示す断面図であり、蓋体が閉じた状態を示している。
【図８】家庭用薄葉紙収納容器の第三変形例を示す斜視図である。
【図９】家庭用薄葉紙収納容器の第三変形例の更なる変形例を示す斜視図である。
【図１０】蓋体と紐状部材との他の関係を示す正面図である。
【発明を実施するための形態】
【００１４】
以下、本発明の実施の形態を図面に基づいて説明する。ただし、発明の範囲は、図示例に限定されない。
【００１５】
＜家庭用薄葉紙収納容器の構成＞
まず、本実施形態の家庭用薄葉紙収納容器の構成について説明する。
なお、以下の説明では、家庭用薄葉紙収納容器の平面視長手方向を左右方向、平面視短手方向を前後方向、高さ方向を上下方向とする。
【００１６】
本実施形態に係る家庭用薄葉紙収納容器１は、例えば、図１〜図４に示すように、ケース体２と、蓋体３と、紐状部材４とを備える。
ケース体２内には、積層された家庭用薄葉紙Ｐを収容した詰め替え袋５が収納されている。詰め替え袋５の上面には、最上層の家庭用薄葉紙Ｐを取り出すための取出口５１が形成されている。またケース体２は、上面に家庭用薄葉紙Ｐを取り出すための取出口２１を有するとともに、下面に詰め替え袋５を詰め替えるための開口部２２を有する本体部６と、本体部６の開口部２２を開閉するため当該本体部６の下面に着脱自在に取り付けられた底蓋７とが設けられている。
本体部６の上面には、蓋体３の開状態及び閉状態を切り替えるための操作部２３が設けられている。また、本体部６の上面には、一段下がった楕円状の段差部６１が設けられていて、その底面６２に取出口２１が形成されている。底面６２における後部には、紐状部材４が挿通される一対の挿通孔６３が形成されている。
なお、紐状部材４が挿通されるのであれば貫通孔でなくとも、取出口２１の後側周縁部に形成された凹部であってもよい。また、紐状部材４が接触する部分に面取り等を施して滑らかな表面とすることが、紐状部材４の劣化を防ぐうえでも好ましい。
【００１７】
詰め替え袋５内の家庭用薄葉紙Ｐは、取出口５１から家庭用薄葉紙Ｐを継続して取り出せるように交互に折り重ねられた状態で積層されている。すなわち、家庭用薄葉紙Ｐを取出口５１からケース体２の取出口２１を介して外側へ引き出したときに、次の家庭用薄葉紙Ｐの上端が取出口５１，２１よりも突出する位置まで本体部６から引き出されるようになっている。
【００１８】
ケース体２、底蓋７及び蓋体３は、例えば、ＰＰ（ポリプロピレン）、ＰＥ（ポリエチレン）、ＰＥＴ（ポリエチレンテレフタレート）、ＡＢＳ（Acrylonitrile Butadiene Styrene）等の熱可塑性樹脂から形成されている。
【００１９】
蓋体３は、本体部６の上面に対して後端部（基端部）を中心に回転するように取り付けられていて、取出口２１を開閉するものである。蓋体３の回転軸３３には、蓋体３を開方向に付勢するための図示しない弾性部材（コイルバネ）が設けられている。蓋体３が閉状態である場合には、当該蓋体３の先端部が操作部２３に係合して、閉状態が維持される。他方、操作部２３が操作されると、操作部２３と蓋体３との係合が解除され、弾性部材の付勢力により蓋体３が開状態となる。
また、蓋体３には、本体部６の段差部６１に密着するパッキン部３１が設けられており、このパッキン部３１が段差部６１に密着することで、ケース体２内の保湿性が保たれることになる。パッキン部３１の前端部の内側には、紐状部材４の一部が取り付けられている。
図４に示すようにパッキン部３１の前端部の内側には、紐状部材４を保持するための保持片３４が左右一対設けられている。この保持片３４には紐状部材４が挿通される挿通部３５が形成されていて、この挿通部３５に紐状部材４を挿通することで、一対の保持片３４間に紐状部材４が架け渡される。
【００２０】
紐状部材４は、天然素材、合成素材のいずれを用いても良い。天然素材の例としては、綿や麻などの天然繊維の糸を編み合わせた組紐などがある。紙紐は水に濡れると弱くなるため、表面に撥水材を塗工したものがより好ましい。合成素材としては、例えば、ナイロン（登録商標）、ポリエステル（ＰＥＴ）、ポリプロピレン（ＰＰ）、ポリエチレン（ＰＥ）、アクリル等の樹脂繊維が挙げられ、それらを組み合わせた組み紐、それらの素材からなるある程度の幅を持ったシート体であってもよい。
シート体は、組み紐のように繊維の間に家庭用薄葉に含浸させた薬液が浸み込まないため、より好ましい。シート体の場合は、シートの幅方向中央部より端部に厚みをもたせて、挿通孔６３の角の摩擦に対して強度をもたせた紐でも良い。
紐状部材４は、その両端部が底蓋７の前側端部に左右方向に所定の間隔を空けて取り付けられている。そして、紐状部材４の略中央部がパッキン部３１の一対の保持片３４に取り付けられている。また、紐状部材４は、詰め替え袋５を下方から支持するように、底蓋７の前端部から後端部を通って、上方に向かい、詰め替え袋５の後端部から挿通孔６３を通過して、パッキン部３１の前端部に至っている。これにより、紐状部材４の略中央部から両端部までの間の部分が詰め替え袋５を支持することになる。
【００２１】
そして、図３に示すように、蓋体３が開状態となると紐状部材４が挿通孔６３から引き出され当該紐状部材４の張力が高まることによって詰め替え袋５は取出口２１側に向けて押し上げられる。具体的には、詰め替え袋５の後側が押し上げられ、後側の上面が本体部６の内側上面に当接することになる。
他方、図２に示すように、蓋体３が閉状態となると紐状部材４の張力が低下することによって詰め替え袋５は底蓋７まで降下する。このような動作が実現できる長さに紐状部材４の長さは適切に設定されている。
なお、紐状部材４は交差するように配置してもよい。
【００２２】
以上のように本実施形態によれば、蓋体３が開状態となると紐状部材４が引き出され紐状部材４の張力が高まることによって詰め替え袋５が取出口２１側に向けて押し上げられるので、家庭用薄葉紙Ｐの取り出しを容易に行うことができる。他方、蓋体３が閉状態となると紐状部材４の張力が低下することによって詰め替え袋５がケース体２の底面まで降下するので、取出口２１から突出していた未使用の家庭用薄葉紙Ｐも下がることになる。これにより、未使用の家庭用薄葉紙Ｐの取出口２１からの突出量を抑制することができる。
【００２３】
また、蓋体３の開状態時においては、詰め替え袋５の後側の上面が本体部６の内側上面に当接してその部分が押さえられることで、家庭用薄葉紙Ｐを一枚抜き出す際に他の家庭用薄葉紙Ｐが連なってでてしまうことが抑制されることになる。
また、蓋体３及び底蓋７を紐状部材４が連結しているので、底蓋７を本体部６から取り外したとしても、蓋体３と底蓋７との一体性が確保されることになる。したがって、詰め替え袋５の交換時に底蓋７を紛失してしまうことを防止することができる。
【００２４】
なお、本発明は上記実施形態に限らず適宜変更可能である。
以下の説明において、上記実施形態と同一部分においては同一符号を付してその説明を省略する。
【００２５】
［第一変形例］
図５は、上記実施形態に係る家庭用薄葉紙収納容器の第一変形例を示す断面図であり、蓋体３が閉じた状態を示している。図６は、上記実施形態に係る家庭用薄葉紙収納容器の第一変形例を示す断面図であり、蓋体３が開いた状態を示している。
図５及び図６に示すように、底蓋７には、その前側端部から立設する第一立設部７１が設けられている。
第一立設部７１は、左右に幅を持って形成されていて、本体部６の前側の内面（蓋体３の基端部から遠い側の内面）に隣接している。第一立設部７１の上端部の左右の端には、紐状部材４の両端部が個別に取り付けられている。ここで、紐状部材４は、本実施形態のように第一立設部７１等の他の部材を介して前側の内面に取り付けられてもよいし、直接前側の内面に取り付けられてもよい。
また、本体部６の後側の内面には、紐状部材４が挿通される挿通部７３が形成されている。これにより紐状部材４は、挿通部７３内を摺動することになる。挿通部７３は、第一立設部７１の紐状部材４の取付位置Ｓと略同じ高さに設けられている。ここで、略同一高さとは、厳密な同一のみならず、公差を含むことを意味する。紐状部材４は、第一立設部７１から挿通部７３の間に配置された部分で詰め替え袋５を支持するようになっている。また、挿通部７３が本体部６に設けられているので、本体部６から底蓋７を取り外す際に紐状部材４が邪魔となることを抑制することができる。
【００２６】
そして、図６に示すように、蓋体３が開状態となると紐状部材４が引き出され当該紐状部材４の張力が高まることによって詰め替え袋５は取出口２１側に向けて押し上げられる。前述したように取付位置Ｓと挿通部７３とが略同じ高さであると、紐状部材４が引っ張られたとしても、取付位置Ｓと挿通部７３との間においては紐状部材４がほぼ水平な状態を保つことになる。このため、家庭用薄葉紙Ｐが均等に押し上げられることになり、取出口２１周囲のケース体２の内側上面と接する部分も多くなる。この接する部分が多くなればケース体２にある家庭用薄葉紙Ｐも押さえられ、家庭用薄葉紙Ｐの突出量を抑えることができる。
他方、図５に示すように、蓋体３が閉状態となると紐状部材４の張力が低下することによって詰め替え袋５は底蓋７まで降下する。
【００２７】
［第二変形例］
図７は、上記実施形態に係る家庭用薄葉紙収納容器の第二変形例を示す断面図であり、蓋体３が閉じた状態を示している。
図７に示すように、紐状部材４には、詰め替え袋５を支持するための板状の剛性部材９が取り付けられている。剛性部材９には紐状部材４が挿通されており、これにより紐状部材４が引っ張られたとしても剛性部材９が常に詰め替え袋５の下方に位置することになる。このように、家庭用薄葉紙Ｐを支持するための剛性部材９が紐状部材４に取り付けられているので、紐状部材４が家庭用薄葉紙Ｐに巻き付くことが防止され、家庭用薄葉紙Ｐを綺麗な状態で保つことができる。なお、剛性部材９としては板状部材であってもストロー状部材であっても構わない。
【００２８】
［第三変形例］
図８は、上記実施形態に係る家庭用薄葉紙収納容器の第三変形例を示す斜視図である。
図８に示すように、紐状部材４は、本体部６から取出口２１を通過して蓋体３に取り付けられている。
このような構造を採ることにより、図１に示すような挿通孔６３を設けた場合に比べて製造の手間を軽減することができる。
【００２９】
なお、この場合、図９に示すように、取出口２１の後側の縁部に紐状部材４を収納可能な切欠き部２１ａ、２１ａを備え、当該切欠き部２１ａ、２１ａ内に幅広の紐状部材４を収納させても良い。
切欠き部２１ａ、２１ａに紐状部材４を収納することで、紐状部材４の位置を固定することができることとなって、詰め替え袋５を安定して支持することができる。
【００３０】
また、切欠き部２１ａ、２１ａは、開口部２１側の基端部の幅が狭く縊れた形状を有し、紐状部材４の幅は、切欠き部２１ａ、２１ａの基端部の幅よりも広くなっている。
これにより、切欠き部２１ａ、２１ａの基端部に紐状部材４をその厚み部分が対向するように通過させて切欠き部２１ａ、２１ａ内に収納させた後、切欠き部２１ａ、２１ａの基端部に紐状部材４をその面部分が対向するように配置させることで、紐状部材４を切欠き部２１ａ、２１ａから抜け難くすることができる。
【００３１】
また、上記実施形態では、一本の紐状部材４で詰め替え袋５を取出口２１に向けて押し上げている場合を例示して説明したが、複数の紐状部材で詰め替え袋５を押し上げてもよい。具体的には、図８に示すように、左右一対の紐状部材４ａ，４ｂを設け、各紐状部材４ａ，４ｂの一端部を一対の保持片３４のそれぞれに結びつけている。そして、各紐状部材４ａ，４ｂの他端部は底蓋７の前側端部に左右方向に所定の間隔を空けて取り付けられている。
【符号の説明】
【００３２】
１      家庭用薄葉紙収納容器
２      ケース体
３      蓋体
４      紐状部材
５      詰め替え袋
６      本体部
７      底蓋
９      剛性部材
２１      取出口
２２      開口部
２３      操作部
３１      パッキン部
３４      保持片
５１      取出口
７１      第一立設部
７３      挿通部
Ｐ      家庭用薄葉紙
Ｓ      取付位置
【図１】
0006588713.tif 000002
【図２】
0006588713.tif 000003
【図３】
0006588713.tif 000004
【図４】
0006588713.tif 000005
【図５】
0006588713.tif 000006
【図６】
0006588713.tif 000007
【図７】
0006588713.tif 000008
【図８】
0006588713.tif 000009
【図９】
0006588713.tif 000010
【図１０】
0006588713.tif 000011